(57)【特許請求の範囲】
【請求項１】
被写体を撮影する際に使用する光源の交流周波数と前記撮影して得た被写体信号の垂直周期信号の周波数とにより画像信号に生じるフリッカを検出する検出方法であって、
導電体により形成されるセンサ板により、前記被写体を撮影する際に使用する前記光源の交流電源から空間誘導により人体に誘起された交流電源信号を誘導により取得するステップと、
前記センサ板により取得された前記交流電源信号から前記交流周波数を検出して周波数値を得るステップと、
前記垂直周期信号の周波数値を得るステップと、
前記垂直周期信号の周波数値と前記交流周波数の周波数値とを比較して前記フリッカの発生を検知するステップと、
を有することを特徴とするフリッカ検出方法。
【請求項２】
前記センサ板が、筐体の外面パネルであって、前記筐体を把持する使用者と接触する領域に設けられていることを特徴とする請求項１記載のフリッカ検出方法。
【請求項３】
被写体を撮影する際に使用する光源の交流周波数と前記撮影して得た被写体信号の垂直周期信号の周波数とにより生じるフリッカを検出するフリッカ検出装置であって、
前記フリッカ検出装置を格納する筐体と、
前記筐体の外面パネルに備えられ、導電体で形成され、前記被写体を撮影する際に使用する光源の交流電源信号から空間誘導により人体に誘起された交流電源信号を誘導により取り込むセンサ板と、
前記センサ板と電気的に接続され、前記センサ板を通して取り込まれた交流電源信号により、前記光源の交流周波数の周波数値を検出する第１の検出手段と、
前記撮影して得た被写体の画像信号の垂直周期信号を取り込み、該垂直周期信号の周波数の周波数値を検出する第２の検出手段と、
前記第１の検出手段により検出した周波数値と前記第２の検出手段により検出した周波数値とを比較して前記フリッカの発生を検知する検知手段と、
を備えることを特徴とするフリッカ検出装置。
【請求項４】
前記センサ板が、前記筐体の外面パネルであって、前記筐体を把持する使用者と接触する領域に設けられていることを特徴とする請求項３記載のフリッカ検出装置。
【請求項５】
被写体を撮影する際に使用する光源の交流周波数と前記撮影して得た被写体信号の垂直周期信号の周波数とにより生じるフリッカを検出することができる撮像装置であって、
前記撮像装置を格納する筐体と、
前記筐体の外面パネルに備えられ、導電体で形成され、前記被写体を撮影する際に使用する光源の交流電源信号から空間誘導により人体に誘起された交流電源信号を誘導により取り込むセンサ板と、
前記センサ板と電気的に接続され、前記センサ板を通して取り込まれた交流電源信号により、前記光源の交流周波数の周波数値を検出する第１の検出手段と、
前記撮影して得た被写体の画像信号の垂直周期信号を取り込み、該垂直周期信号の周波数の周波数値を検出する第２の検出手段と、
前記第１の検出手段により検出した周波数値と前記第２の検出手段により検出した周波数値とを比較して前記フリッカの発生を検知する検知手段と、
を備えることを特徴とする撮像装置。
【請求項６】
前記センサ板が、前記筐体の外面パネルであって、前記筐体を把持する使用者と接触する領域に設けられていることを特徴とする請求項５記載の撮像装置。
【発明の詳細な説明】
【０００１】
【発明の属する技術分野】
本発明は、被写体を撮影する際に使用する光源の交流周波数と前記撮影して得た被写体信号の垂直周期信号の周波数とにより生じるフリッカの検出方法、このフリッカの検出装置及びこのフリッカを検出することができる撮像装置に関するものである。
【０００２】
【従来の技術】
従来、ビデオカメラ装置を用いて被写体を撮影する際に光源からこの被写体に光を投射して撮影を行う場合に、この光源として多く使用されるものとして商用交流電力を電源とする光源がある。しかしながらこのように商用交流電力を電源とした光源にはこの交流電力の周波数に同期して光源の明るさの明暗が変化する特性がある。
【０００３】
即ちこの交流電力の周波数が５０Hzの場合には１００回／秒で明暗を繰り返し、この周波数が６０Hzの場合には１２０回／秒で明暗を繰り返しており、特にけい光燈、キセノン燈の如く放電による発光の場合ではこの明暗が変化が顕著である。
【０００４】
一方、ＮＴＳＣ方式のビデオカメラ装置で撮影した画像信号は、毎秒６０枚の画像信号即ち６０Hzの垂直同期信号周期を有するビデオ信号として撮影される。一方、この商用交流電力の周波数は東日本地域では５０Hzである為、東日本地域においてＮＴＳＣ方式のビデオカメラ装置で撮影した画像信号に、所定の繰り返し周期で明暗を繰り返す照明むら、所謂フリッカを生じる不都合がある。
【０００５】
このような不都合を回避する為には、このＮＴＳＣ方式のビデオカメラ装置として電子シャッター等のシャッター付きのビデオカメラ装置を使用し、この１００回／秒に合わせてこのシャッターをきるようにして撮影する必要がある。即ち１／１００秒のシャッター速度で撮影する必要がある。
【０００６】
逆に、この商用交流電力の周波数が６０Hzである西日本地域で垂直同期信号周波数が５０HzであるＰＡＬ方式のビデオカメラ装置を使用して撮影する際には、６０回／秒でこのシャッターをきるようにして撮影する必要がある。即ち１／６０秒のシャッター速度で撮影する必要がある。
【０００７】
なお、以下の説明においては、ビデオカメラ装置で撮影した画像信号に、このように所定の繰り返し周期で発生するこの照明むら現象をフリッカというものとする。
【０００８】
【発明が解決しようとする課題】
従来のビデオカメラ装置においては、このような不都合を無くする為に、これら撮影された各画面の夫々毎に画像信号全体の輝度レベルの総和をとり、時間経過に応じて変化する各画面の総和輝度レベルの状態からフリッカが発生しているか否かを判断し、この判断の結果に基づいて１／１００秒と１／１２０秒の間でこのシャッターの速度を切り換えてフリッカを抑圧する対策を施していた。
【０００９】
しかしながらこの総和輝度レベルは、例えば被写体が明るいところから暗いところ、或いはこの逆に移動したような場合でも変化し、また被写体自体の明るさの変化によっても変化するので、このフリッカに起因する原因以外の原因でこの総和輝度レベルに変化を生じる場合があり、従来の判断方法ではこのような場合にこのフリッカが発生していると誤認する問題があった。
【００１０】
本発明は斯る点に鑑み、フリッカの検出精度を向上し、フリッカ以外の原因に起因する被写体の明るさの変化とフリッカに起因する被写体の明るさの変化の識別性能の向上を図ることを目的とする。
【００１１】
【課題を解決するための手段】
本発明のフリッカ検出方法は、被写体を撮影する際に使用する光源の交流周波数と前記撮影して得た被写体信号の垂直周期信号の周波数とにより画像信号に生じるフリッカを検出する検出方法であって、導電体により形成されるセンサ板により、前記被写体を撮影する際に使用する前記光源の交流電源から空間誘導により人体に誘起された交流電源信号を誘導により取得するステップと、前記センサ板により取得された前記交流電源信号から前記交流周波数を検出して周波数値を得るステップと、前記垂直周期信号の周波数値を得るステップと、前記垂直周期信号の周波数値と前記交流周波数の周波数値とを比較して前記フリッカの発生を検知するステップと、を有する。
【００１２】
本発明のフリッカ検出装置は、被写体を撮影する際に使用する光源の交流周波数と前記撮影して得た被写体信号の垂直周期信号の周波数とにより生じるフリッカを検出するフリッカ検出装置であって、前記フリッカ検出装置を格納する筐体と、前記筐体の外面パネルに備えられ、導電体で形成され、前記被写体を撮影する際に使用する光源の交流電源信号から空間誘導により人体に誘起された交流電源信号を誘導により取り込むセンサ板と、前記センサ板と電気的に接続され、前記センサ板を通して取り込まれた交流電源信号により、前記光源の交流周波数の周波数値を検出する第１の検出手段と、前記撮影して得た被写体の画像信号の垂直周期信号を取り込み、該垂直周期信号の周波数の周波数値を検出する第２の検出手段と、前記第１の検出手段により検出した周波数値と前記第２の検出手段により検出した周波数値とを比較して前記フリッカの発生を検知する検知手段と、を備える。
【００１３】
本発明の撮像装置は、被写体を撮影する際に使用する光源の交流周波数と前記撮影して得た被写体信号の垂直周期信号の周波数とにより生じるフリッカを検出することができる撮像装置であって、前記撮像装置を格納する筐体と、前記筐体の外面パネルに備えられ、導電体で形成され、前記被写体を撮影する際に使用する光源の交流電源信号から空間誘導により人体に誘起された交流電源信号を誘導により取り込むセンサ板と、前記センサ板と電気的に接続され、前記センサ板を通して取り込まれた交流電源信号により、前記光源の交流周波数の周波数値を検出する第１の検出手段と、前記撮影して得た被写体の画像信号の垂直周期信号を取り込み、該垂直周期信号の周波数の周波数値を検出する第２の検出手段と、前記第１の検出手段により検出した周波数値と前記第２の検出手段により検出した周波数値とを比較して前記フリッカの発生を検知する検知手段と、を備える。
【００１４】
【発明の実施の形態】
以下、フリッカの検出ができるようにしたビデオカメラ装置の本発明による実施の形態の一例について、図を参照しながら説明する。
【００１５】
図１において１はビデオカメラ装置の要部を示し、ビデオカメラ装置１はマイクロコンピュータ部２、フリッカ検出信号入力コネクタ部３、入力電圧変換回路４及びカメラ制御部１０より構成されている。そしてマイクロコンピュータ部２は信号入力ポート５Ａ、接地端子５Ｂ、電源パルス入力判断回路６、電源パルス比較回路７、判定回路８およびシャッタースピード調整回路９により構成されている。
【００１６】
なお、２Ａはマイクロコンピュータで、このマイクロコンピュータ２Ａによりこのマイクロコンピュータ部２の動作を制御している。
【００１７】
フリッカ検出信号入力コネクタ部３は信号端子３Ａ及び接地入力端子３Ｂを具備する。入力電圧変換回路４はトランジスタ素子４Ａと、電源ライン４Ｈと、信号端子３Ａをトランジスタ素子４Ａのベース４Ｂに接続するベース抵抗器４Ｃと、このベース４Ｂとベース抵抗器４Ｃの接続中点と接地入力端子３Ｂを接続する接地抵抗器４Ｄと、トランジスタ素子４Ａのコレクタ４Ｅと電源ライン４Ｈを接続するコレクタ抵抗器４Ｆとにより構成されている。
【００１８】
そして、トランジスタ素子４Ａのエミッタ４Ｇは接地入力端子３Ｂに接続され、接地入力端子３Ｂは接地端子５Ｂに接続され、コレクタ４Ｅとコレクタ抵抗器４Ｆの接続中点が信号入力ポート５Ａに接続されている。
【００１９】
次に、図１に示したビデオカメラ装置１の動作について、このビデオカメラ装置１がＮＴＳＣ方式のビデオカメラ装置である場合を例として図１，図２及び図４を参照しながら説明する。
【００２０】
フリッカ検出信号入力コネクタ部３の信号端子３Ａには、ビデオカメラ装置１で撮影する被写体を照明する光源に交流電力を供給する電源の交流周波数と同期し且つこの周波数と同一周波数を有する電源パルス信号４ｄが供給され、この電源パルス信号４ｄを入力電圧変換回路４において信号入力ポート５Ａに供給する為に最適な電気的な特性の矩形波信号４ｈ（以下の説明においては矩形波信号４ｈと称する）に変換し、この矩形波信号４ｈを入力電圧変換回路４から信号入力ポート５Ａに供給する。
【００２１】
なお、電源パルス信号４ｄの周波数が５０Hzの場合は、矩形波信号４ｈは入力電圧変換回路４において図４の（２）に示した如き波形の５０Hzの信号に変換され、この周波数が６０Hzの場合は、矩形波信号４ｈはこの変換回路４において図４の（４）に示した如き波形の６０Hzの信号に変換される。
【００２２】
ビデオカメラ装置１の電源が起動すると、マイクロコンピュータ部２の動作がステップ１００に進められる。
【００２３】
ステップ１００において、電源パルス入力判断回路６の入力端６Ａ及び電源パルス比較回路７の他の入力端子７Ｂに信号入力ポート５Ａを通じて矩形波信号４ｈが供給され、そしてこの矩形波信号４ｈが信号端子６Ａに供給されていると電源パルス入力判断回路６で判断された時、この判断回路６で比較部動作信号６ｂを生成し電源パルス比較回路７に供給してこの比較回路７を動作状態とし、マイクロコンピュータ部２の動作はステップ１０１に進められる。
【００２４】
ステップ１０１において、同期信号入力端子７Ａに入力されるビデオカメラ装置１の垂直周期信号７ａと電源パルス比較回路７の他の入力端子７Ｂに入力したこの矩形波信号４ｈを電源パルス比較回路７で比較し、この比較して得た比較結果信号７ｃを判定判定回路８の入力端８Ａに供給し、マイクロコンピュータ部２の動作はステップ１０２に進められる。
【００２５】
ここで、このステップ１０１において比較結果信号７ｃを生成する動作について図４に示した波形（１）〜（５）に基づき更に詳細に説明する。
【００２６】
（１）は、垂直同期信号の周波数が６０Hzであるビデオ信号を出力するビデオカメラ装置１の垂直同期信号に同期した垂直周期信号パルス７ａの波形を示す。なお、この波形（１）で示した信号は１０MHz で動作している。
【００２７】
（２）は、入力電圧変換回路４から信号入力ポート５Ａに供給されるこの電源パルス信号４ｄの周波数が５０HZの場合の矩形波信号４ｈの波形を示す。
【００２８】
（３）は、これら波形（１）と（２）の波形レベルを電源パルス比較回路７で比較して得た比較結果信号７ｃの波形で、この比較時点で（２）の波形レベルが低いレベルの時には比較結果信号７ｃはＬｏｗ状態を示す信号波形として得られ、この時点で（２）の波形レベルが高いレベルの時にはこの信号７ｃはＨｉ状態を示す信号波形として得られる。
【００２９】
このように、波形（３）で示した信号としてこの比較結果信号７ｃが得られた場合は、ビデオ信号を出力するビデオカメラ装置１の垂直同期信号の周波数と、電源パルス信号４ｄの周波数の相互の間に周波数差があることをこの比較結果信号７ｃが示している。
【００３０】
（４）は、入力電圧変換回路４から信号入力ポート５Ａに供給されるこの電源パルス信号４ｄの周波数が６０HZの場合に、信号入力ポート５Ａに供給される矩形波信号４ｈの波形を示す。
【００３１】
（５）は、これら波形（１）と（４）の波形レベルを電源パルス比較回路７で比較して得た比較結果信号７ｃ信号の波形で、この比較結果信号７ｃは信号常にＨｉ状態を示す信号波形として得られる。
【００３２】
このように、波形（５）で示した信号としてこの比較結果信号７ｃが得られた場合は、ビデオ信号を出力するビデオカメラ装置１の垂直同期信号の周波数と、電源パルス信号４ｄの周波数の相互の間に周波数差がないことをこの比較結果信号７ｃが示している。
【００３３】
このような比較結果信号７ｃが得られたとき、マイクロコンピュータ部２の動作はステップ１０２に進められる。
【００３４】
ステップ１０２においてこの比較結果信号７ｃのレベル変化の状態を判断し、この信号７ｃのレベル変化に、波形（３）で示した如く、高レベル（Ｈｉ）と低レベル（Ｌｏｗ）の間で変化する状態が現れているときには、この照明に使用している電源周波数は垂直周期信号７ａの繰り返し周波数と一致しない周波数である５０Hzであると判断し、マイクロコンピュータ部２の動作をステップ１０４に進めてシャッターのスピードを１／１００秒に設定する信号S/100 信号を生成する。
【００３５】
それに対して、この判断の結果、比較結果信号７ｃに波形（５）で示した如くこのような変化が現れないときは、この電源周波数は垂直周期信号７ａの繰り返し周波数と同一の６０Hzの周波数であると判断し、この動作をステップ１０３に進めてシャッターのスピードを１／６０秒に設定する信号S/60信号を生成する。
【００３６】
そして、ステップ１０３で生成したこのS/60信号、或いはステップ１０４で生成したこのS/100 信号の何れかをこのマイクロコンピュータ部２からカメラ制御部１０の入力端１０Ａに入力し、ビデオカメラ装置１のカメラ部の電子シャッタのシャッタスピードを１／６０秒及び１／１００秒の何れかに設定する。
【００３７】
なお、同一のテレビジョン方式で国内を統一をしている諸国内においてこの電源周波数が６０HZと５０HZに異なっているのは、一部の国を除き、図３に示した如く日本国のみである。したがって、電子シャッタのシャッタスピードをこのように切り換え制御するのは、ビデオカメラ装置１の電源をオンとした時のみでよい。
【００３８】
また、この図３から明らかなように、ＮＴＳＣテレビジョン方式を採用している国で、この交流電源周波数として５０HZを採用しているのは世界的にみて少数であるので、ＮＴＳＣテレビジョン方式を採用したビデオカメラ装置の場合、この電子シャッタのシャッタスピードとして１／６０秒を標準設定値（デフォルト値）としておき、この電源をオンとした際にこのS/100 信号が検出されたときのみこのシャッタスピードを１／１００秒に切り換えるようにしてもよい。
【００３９】
また、ビデオカメラ装置が日本国内向け仕様の場合には、この標準設定値を１／６０秒と１／１００秒の間で切り換えられるようにしてもよい。
【００４０】
次にビデオカメラ装置１に設けたフリッカ検出信号入力コネクタ部３の信号端子３Ａに電源パルス信号４ｄを供給するための電源パルス信号供給部の例について、図５〜図８を参照しながら図１〜図４と同一の部分には同一の符号を付与して詳細な説明を省略して説明する。
【００４１】
図５は、被写体を撮影する際の光源の電源である商用交流電源から交流電源信号を得、この得られた信号を赤外線信号に変換し、信号端子３Ａに供給することができるようにしたものである。
【００４２】
図５において２０は電源パルス信号供給部で、電源パルス信号供給部２０はこの所要交流電源に接続されたビデオカメラ装置１の交流電源２１、第１の電圧降下用抵抗器２２、発光ダイオードの保護用ダイオード２３、赤外線発光ダイオード２４Ａ及びフォトダイオード２４Ｂよりなる赤外線フォトカップラ２４並びに第２の電圧降下用抵抗器２５で構成されている。
【００４３】
そしてこの電源パルス信号供給部２０は、この電源２１の一端側が第１の電圧降下用抵抗器２２の一端に接続され、第１の電圧降下用抵抗器２２の他端がこの保護用ダイオード２３のカソード側及び赤外線発光ダイオード２４Ａのアノード側に接続され、この電源２１の他端側がこの保護用ダイオード２３のアノード側及びこの発光ダイオード２４Ａのカソード側に接続され、フォトダイオード２４Ｂのアノード側と電源ライン４Ｈに接続された第２の電圧降下用抵抗器２５の他端の接続中点がフリッカ検出信号入力コネクタ部３の信号端子３Ａに接続され、フォトダイオード２４Ｂのカソード側と接地入力端子３Ｂの接続中点が接地されている。
【００４４】
図５に示して説明した例によれば交流電源２１から得られた交流電源信号を、赤外線フォトカップラ２４を構成している赤外線発光ダイオード２４Ａからフォトダイオード２５Ｂに伝送し、フリッカ検出信号入力コネクタ部３の信号端子３Ａに電源パルス信号４ｄとして供給することができる。
【００４５】
この例によれば交流電源２１とフリッカ検出信号入力コネクタ部３をフォトカップラ２４で結合したので、マイクロコンピュータ部２及び入力電圧変換回路４側を交流電源２１側から電気的に絶縁して保護することができる。
【００４６】
図６は、ビデオカメラ装置１とは別にこのビデオカメラ装置１に電源を供給する為の電源アダプタを設け、この電源アダプタからビデオカメラ装置１に対して直流電源を供給するようにした場合に、この電源アダプタから得られた交流電源信号をフリッカ検出信号入力コネクタ部３の信号端子３Ａに供給するようにした例を示したものである。
【００４７】
図６において、２７は電源アダプタを示し、電源アダプタ２７は１次コイル２８Ａ及び２次コイル２８Ｂを具備した電源変圧器２８、ダイオード２９Ａ及び平滑コンデンサ２９Ｂを具備した整流部２９、２次コイル２８Ｂの一端側から交流電源信号を取り出す為のコンデンサ３０、出力コネクタ部３１、電源コード３５及び電源プラグ３６で構成されている。叉、１点鎖線３４で囲んだ範囲は電源アダプタ２７の外筐に収納されている部分である。
【００４８】
そして、電源プラグ３６をこの商用交流電源に接続すると、電源変圧器２８の２次コイル２８Ｂから所定の交流電圧が出力され、この交流電圧を整流部２９で整流・平滑して得た所定の直流電力を出力コネクタ部３１の直流電源コネクタ端子３１Ａに供給し、２次コイル２８Ｂから得た交流電源信号をコンデンサ３０を介して交流電源信号コネクタ端子３１Ｂに供給する。なお、３１Ｃは接地ラインコネクタ端子であり、この端子３１Ｃは図６に示した如く２次コイル２８Ｂ及び平滑コンデンサ２９Ｂに接続されている。
【００４９】
そして更に３３は３本の信号線３３Ａ，３３Ｂ及び３３Ｃを有する３芯ケーブルで、３芯ケーブル３３の信号線３３Ａをコネクタ３１Ａに、信号線３３Ｂをコネクタ３１Ｂにそして信号線３３Ｃをコネクタ３１Ｃに夫々着脱自在に接続して構成している。なおこの場合、信号線３３Ａの他端側をビデオカメラ装置１の電源ラインに、信号線３３Ｂの他端側をフリッカ検出信号入力コネクタ部の信号端子に、信号線３３Ｃの他端側を接地入力端子に夫々に接続しているものとする。
【００５０】
図６に示して説明した例によれば、３芯ケーブル３３で電源アダプタ２７側とビデオカメラ装置１側を接続した状態で電源プラグ３６をこの電源に接続することにより、ビデオカメラ装置１に組み込まれたマイクロコンピュータ部２が動作してこのフリッカの発生があると判断した場合は、シャッタスピードを切り換えてこのフリッカの発生を予防することができる。
【００５１】
図７は、この交流電源信号を、ビデオカメラ装置１のフリッカ検出信号入力コネクタ部３に非接触状態で取り込むことができるようにした例を示したものである。
【００５２】
図７において４０はビデオカメラ装置１の筐体、４１はこの筐体の外面パネル部で、利用者がこのビデオカメラ装置１を把持したときにこのパネル部４１に触れる部分に導電体でなるタッチセンサ板４２を配設し、この交流電源信号を空間誘導により商用交流電力の電源或いはその電流ラインから取り込むことができるように構成したものである。なお、タッチセンサ板４２はこのフリッカ検出信号入力コネクタ部の信号端子に接続されている。
【００５３】
また、タッチセンサ板４２を配設する位置は、図７に示した位置に限らず、外面パネル部４１のこの外の種々の位置に配設してもよく、またこのパネル部４１の２面以上の面にまたがって配設してもよく、更にまた把持した時に触れやすいようにする為あるいは美観上の理由で、タッチセンサ板４２の形状についても種々の形態を取り得る。
【００５４】
この構成によれば、この空間誘導により人体に誘起された交流電源信号がタッチセンサ板４に誘導され、この交流電源信号が電気信号に変換される。よってこの交流電源信号をビデオカメラ装置１の入力コネクタ部３に対して空間誘導により取り込むことができる。
【００５５】
図８は、この交流電源信号を、非接触状態でビデオカメラ装置１のフリッカ検出信号入力コネクタ部３に取り込むことができるようにした他の例を示したものである。
【００５６】
図８に示した例は、ビデオカメラ装置１の筐体４０の背面パネル部４３に誘導コイル４４を埋め込み、空間誘導された交流電源信号に対してこの誘導コイル４４をリンクし、この交流電源信号を電気信号に変換して、この信号端子に供給できるように構成したものである。この構成によれば、この交流電源信号をビデオカメラ装置１のフリッカ検出信号入力コネクタ部３に対して空間誘導により取り込むことができる。
【００５７】
またこの構成によれば、空間誘導された交流電源信号をこのコイル４４で得られる利得の分だけ信号レベルを高くした電気信号として得ることができるので、この電源信号をビデオカメラ装置１側により確実に取り込むことができる。
【００５８】
また、このコイル４４を外面パネル部４１に配設する位置は、この図８に示した位置に限らず、ビデオカメラ装置１の筐体４０の種々の位置に配設してもよく、またこの筐体の２面以上の面にまたがって配設してもよい。
【００５９】
【発明の効果】
本発明によれば、周波数信号情報以外に情報が含まない垂直周期周波数信号及び交流電源信号夫々の情報に基づいこのてフリッカ発生の有無を検出するようにしたので、この交流電源を電源とする光源を使用して撮影した画像情報の信号レベルの変化による影響でこの検出動作が誤作動することがない。またこの検出の手順が簡単であるので、この検出の手順を実行するマイクロコンピュータの負担を軽減できる。
【図面の簡単な説明】
【図１】本発明のビデオカメラ装置の構成を示す回路ブロック図である。
【図２】本発明のビデオカメラ装置の動作を説明するフローチャート図である。
【図３】各地域の電源周波数を説明する線図である。
【図４】本発明のビデオカメラ装置の動作を説明する線図である。
【図５】本発明の電源パルス信号供給部を説明する回路図である。
【図６】本発明の他の電源パルス信号供給部を説明する回路図である。
【図７】本発明の電源パルス信号検出部の構成を説明する斜視図である。
【図８】本発明の他の電源パルス信号検出部の構成を説明する斜視図である。
【符号の説明】
１‥‥ビデオカメラ装置、２‥‥マイクロコンピュータ部、３‥‥フリッカ検出信号入力コネクタ部、  ４‥‥入力電圧変換回路、５Ａ‥‥信号入力ポート、６‥‥電源パルス入力判断回路、７‥‥電源パルス比較回路、８‥‥判定回路、９‥‥シャッタースピード調整回路、１０‥‥カメラ制御部、２１‥‥交流電源
【図１】
0004438116.tif 000002
【図２】
0004438116.tif 000003
【図３】
0004438116.tif 000004
【図４】
0004438116.tif 000005
【図５】
0004438116.tif 000006
【図６】
0004438116.tif 000007
【図７】
0004438116.tif 000008
【図８】
0004438116.tif 000009